(57)【特許請求の範囲】
【請求項１】
下部膜（６）及び上部膜（７）を備え、かつ、
圧縮空気を入れて膨張させるため、又は空気を抜いて収縮させるための弁（９）を少なくとも一つ備えた
気密エンベロープ（２）で全体を被覆して成る空気長椅子（１）であって、
前記気密エンベロープが低伸縮性材料から成り、
前記下部膜（６）と前記上部膜（７）との間には、複数の低伸縮性材料から成る可撓性ウェブ（３）が、長椅子の幅方向全体に亘って長椅子の後部壁（４）に対して平行に配列され、
前記複数の可撓性ウェブ（３）は、それらの垂直面が相互に平行であり、
前記各可撓性ウェブ（３）はその幅方向全長にかけて前記下部膜（６）および前記上部膜（７）と接合しており、
前記下部膜（６）と上部膜（７）の幅方向の両端部分は、各ウェブ（３）の幅方向側の両端部より外側で接合され、それにより長椅子の幅方向の両端部には圧縮空気により膨張せしめられる仕上げ部（１６）が形成され、
前記複数のウェブ（３）の間に形成されるスペースは前記仕上げ部（１６）により連結され、
長椅子の前端部及び後端部において、最も前端側のウェブと最も後端側のウェブとが前記気密エンベロープ（２）により被覆され、
前記長椅子の前記後端部において、前記気密エンベロープ（２）の後部面（１５）が長椅子の荷重受け壁（５）または支持構造に取り付けられた後壁（４）に取り付けられ、
前記長椅子が片持ち梁に支持されることを特徴とする空気長椅子。
【請求項２】
前記可撓性ウェブ（３）が、低伸縮性の繊維材料から成ることを特徴とする請求項１に記載の空気長椅子。
【請求項３】
前記可撓性ウェブ（３）が低伸縮性のプラスチック材料から成ることを特徴とする請求項１に記載の空気長椅子。
【請求項４】
前記繊維材料が織成テープをから成ることを特徴とする請求項２に記載の空気長椅子。
【請求項５】
前記織成テープは、長椅子の幅方向の長さに対応する上端部及び下端部上に厚く織られた縁片（２１）を有し、前記縁片（２１）が、垂直方向に互いに並行に走る複数の糸（２３）によって織り込まれており、前記糸（２３）が前記縁片（２１）内に織りこまれることを特徴とする請求項４に記載の空気長椅子。
【請求項６】
前記織成テープが、長椅子の幅方向の長さに対応する上端部及び下端部上に、厚く織られた縁片（２１）を有し、前記各縁片（２１）は、前記上端部及び下端部の間に設けられた交差状に走る二対の糸（２４）と織り込まれていることを特徴とする請求項４に記載の空気長椅子。
【請求項７】
前記二対の糸（２４）の交差角度が前記ウェブ（３）の幅方向に対して、90°であることを特徴とする請求項４に記載の空気長椅子。
【請求項８】
前記ウェブ（３）の形状が、長方形であることを特徴とする請求項１〜３のいずれか一項に記載の空気長椅子（１）。
【請求項９】
前記ウェブ（３）の高さが全て同じであることを特徴とする請求項３〜８のいずれか一項に記載の空気長椅子（１）。
【請求項１０】
前記ウェブ（３）の高さが、前記壁（５）から前記長椅子の自由端にかけて減少していくことを特徴とする請求項３〜８のいずれか一項に記載の空気長椅子（１）。
【請求項１１】
前記長椅子（１）の自由端が、全長にかけて上昇した縁（８）を有することを特徴とする請求項１に記載の空気長椅子（１）。
【請求項１２】
前記個々のウェブ（３）の高さが、その中心から両端に向かって増加することを特徴とする請求項２または３に記載の空気長椅子（１）。
【請求項１３】
繊維Ｔ字型帯が設けられ、その中央ウェブがウェブ（３）と接合され、その交差ウェブが前記気密エンベロープ（２）の内側と接合されることを特徴とする請求項１〜１２のいずれか１項に記載の空気長椅子（１）。
【請求項１４】
前記接合が溶着によって行われることを特徴とする請求項１３に記載の空気長椅子（１）。
【請求項１５】
前記接合が接着によって行われることを特徴とする請求項１３に記載の空気長椅子（１）。
【請求項１６】
前記接合が縫合によって行われ、前記気密エンベロープ（２）が縫合の後に密封されることを特徴とする請求項１３に記載の空気長椅子（１）。
【請求項１７】
前記長椅子（１）内の空気を加熱する手段が設けられていることを特徴とする請求項１〜１６のいずれか一項に記載の空気長椅子（１）。
【請求項１８】
前記加熱手段が、電気加熱リボン（２５）を有することを特徴とする請求項１７に記載の空気長椅子（１）。
【請求項１９】
前記加熱リボン（２５）が、前記ウェブ（３）に固定されることを特徴とする請求項１８に記載の空気長椅子（１）。
【発明の詳細な説明】
【０００１】
【発明が属する技術分野】
本発明は、請求項１の序文に従った空気長椅子またはベンチシートに関するものである。
【０００２】
【従来の技術】
一般にエアーマットレスと呼ばれる空気長椅子が知られている。これらは一般に、地面または適切な下敷きの上に置いて使用するものであり、また、相互に平行して配置された、少なくとも部分的に連絡している多数の細長い空気チューブまたはチャンバを備えている。
【０００３】
【発明が解決しようとする課題】
このような空気長椅子またはベンチシート構造の全ての従来形態における欠点は、適切な下敷きが、
-  長椅子、さらにベンチシートの両方に使用に既に不可欠であること、
-  その役割が一般に既述の下敷きに覆いを付けることで達成されること、
という既述の状況の中に存在している。
【０００４】
【発明が解決しようとする課題】
本発明の目的は、狭いスペースにおいて、迅速に空気充填して使用可能な状態にすることができ、また、所定の位置に使用可能状態に永久に保つことが可能で、本質的に水平な下敷きを必要としない、空気長椅子またはベンチシートを製造することである。
【０００５】
【課題を解決するための手段】
この目的に対する取り組みについては、その本質的な特徴に関連した請求項１の特徴部分において、また、特別且つ有益な特徴に関連した請求項において述べている。
【０００６】
【実施例】
本発明の概念を、実施例と添付の図面を参照してより詳細に説明する。
【０００７】
図１は、長椅子１が構成される本発明の第一実施例の略断面図である。下部膜６と上部膜７とを備えた気密エンベロープ２は、低伸縮性であるが、柔軟性を持つ繊維材料で製造されている。この材料は、密封性の理由から、例えばＰＶＣを積層して製造したものである。長椅子１は、この気密エンベロープ２で全体を被覆して成る。下部膜６と上部膜７の間には、同様に低伸縮性で、本質的に長椅子の長手方向すなわち自由外端方向に向かって並行に配置される繊維材料ウェブ３が複数挿入されている。これらウェブ３は、例えば前記両膜６、７に接着、溶着、縫合されており、さらに、前記膜（気密エンベロープ）２への縫い目は密封されている。長椅子１の断面は、その自由外端に向かって細い縁８を形成するように構成されている。ウェブ３は通気性に優れ、また形状が細い長方形になるため、一つまたはそれ以上の弁９を介した圧縮空気により、膨張可能な長椅子１の全体を同じ圧力に保つことができる。ウェブの高さは、全体にかけて同一でもよいし、または、図１に示すように壁５から長椅子１の自由端に向かって減少するようにしてもよい。
【０００８】
この圧縮空気が、例えば壁５に固定された後壁４へ引き寄せられた気密エンベロープ（２）膜２と、ウェブ３とを引張する。人物（図示せず）が長椅子１に横たわると、長椅子１が、その形状から予想されるように下方向に若干曲がる。
【０００９】
次に示す計算例において、ウェブ３の平均高さはｈｓで、長椅子１の長さはｌで、長椅子１の幅はｂで、人物の体重はＧｐで表され、また、空気圧力はｐとなる。
【００１０】
従って、下部膜の引張は、人物による荷重がかかっていない状態にあり、次式で表される。
0005193411.tif 000002
【００１１】
人物の体重がｂ/２の線形の荷重（line load）として加えられる簡素化した仮定の下で、この等式は曲げモーメントＭｐを生じ、次式のようになる。
0005193411.tif 000003
【００１２】
これは、片持ち梁の統計の法則に従って、Ｍｓによって補正される。すなわち次式のようになる。
0005193411.tif 000004
【００１３】
これら３つの等式を組み合わせることにより、次のような結果となる。
0005193411.tif 000005
または
0005193411.tif 000006
ここで、それぞれの符号は次の数値を示す。
ｂ＝1.0m
ｈｓ＝0.1m
ｌ＝2.0m
Ｇｐ＝800N
【００１４】
これにより極限値0.4barが得られる。しかし、これはウェブ３の平均高さｈｓに二次的に依存するため、極限圧力ｐまたは支持能力Ｇｐは、ウェブ３の高さによって、または長椅子１の幅ｂによって影響され易い。これは、必要な曲がりモーメントを許容できる壁５とは違い、壁５の代用品としての、または壁５に固定した金属レール形式の支持構造体によって、容易に受容することができる。
【００１５】
後壁４を固定した壁５の代わりに、二つまたはそれ以上のフックを備えた壁５あるいはその代用品としての要素の使用が考えられることが明白である。この場合、後壁４は、フックにかけるリングを関連位置に備えている。図２はこのような一実施例を示すものである。
【００１６】
図２では、図１の壁５の静的な役割を、例えば複数の四角形チューブの垂直ロッド１１が担っている。これらロッド１１の各々に、フック１２が従来の手段で固定されている。ここでは、後壁４は例えば多孔性シート１３で形成されている。多孔性シート１３は完全に気密エンベロープ２の外に配置されているため、貫通部（lead throughs）を密封する必要はない。
【００１７】
下部膜６と上部膜７は、ウェブ３の幅方向全長にわたって施したＴ字型の織成テープ１４の手段によって、ウェブ３と接合している。この接合は、縫合、接着、溶着によって行われる。縫合によって接合する場合には、縫合後に、上部膜７と下部膜６を備えた膜２が密封される。多孔性シート１３(後壁)に接した他のＴ字型帯１４も、膜２の後部１５に接合され、後壁４を密封する。ここで言及したＴ字型帯１４と後部１５は、気密状態を形成するために接続することはなく、気密エンベロープ膜２の引張力を受容する。後壁１４の別の形態は、多孔性シート１３以外にも、本発明の概念を逸脱しない範囲内で考えられる。本発明に必須なのは、気密エンベロープ膜２の後部１５の前にあたる部分に、気密部分を配置することだけである。この方法では、密封および力の受容機能の分離が確実に得られる。
【００１８】
本発明によるこのような長椅子１は、例えば狭い住宅事情、軍隊および緊急時の収容、車両、航空機、ケーブル鉄道、その他類似の状況において使用される。
【００１９】
図３は、長椅子１の一端部の部分図であり、もう一端はこれと対称であると考えればよい。下部膜６と上部膜７は、仕上げ部分１６で示す長椅子１の側端部において接合されている。この仕上げ部分１６は、長椅子１を圧縮空気で膨張した際に断面が本質的に半円形になる。ウェブ３は上部膜６、下部膜７の間を長椅子の先端方向に向かって並行に延び、且つそれぞれが垂直方向に平行に延びている。前記によりウェブ３の間に形成される個々の中間スペースどうしが、長椅子１の仕上げ部分１６が包囲する部分によって連結される。そのため、ウェブ３が非通気性であれば、一定の空気圧を全体にかけて均一に作用させることができる。長椅子１の仕上げ部分１６間の範囲には、均一な構造から逸脱した形態を、ウェブ３の適切な切断によってもたらすことができる。
【００２０】
長椅子１を主にベンチシートとして使用する場合、図４に示すような上記の変更をウェブ３に加えることが可能である。この場合は、人物が座るベンチシート中央、すなわち実際の着座範囲とその周辺範囲にこの変更を加える。一端のみに荷重がかかる場合、外側領域には荷重が掛からないので、ベンチシートの端部範囲を、本発明に従い、端部に作用する荷重をその端部のみで支えられるような構造にすることが可能である。すなわち、等式（５）で得た均一な圧力がウェブ３内で増加されることにより、保持力がウェブ３の高さｈｓと共に二次的に増加する。
【００２１】
ウェブ３の材料として、上述したような繊維織物と、低伸張性のプラスチック材料フォイルが問題となる。図３、図４に示すように、仕上げ部分１６内に、ウェブ３にかかる圧縮空気を流入させることが可能であり、これによりウェブ３間の中間スペース全体を均一の圧力下に保つため、フォイルの通気性を無くすことが必要である。
【００２２】
図５ａ、図５ｂは、本発明によるウェブ３のさらに別の実施例を示す略図である。どちらの実施例も織成テープ２０を備えているが、その締付け力は各実施例により異なる。
【００２３】
図５ａによる実施例は、緊密に織られた２本の縁片２１と、縁片２１に織りこまれた互いに平行する糸２３のみを備えた中央片２２とで構成されている。ここで言及した中央片２２は、ピック糸なしのチェーン糸のみ、またはチェーン糸なしのピック糸のみで形成されていてよい。
【００２４】
図５ｂによる実施例では、縁片２１は図５ａで説明した通りに、すなわち糸２３が縁片２１に対して本質的に垂直に走った状態で構成されている。ここではさらに、並行して斜めに、且つ交差状に走る二対の糸２４が縁片２１及びに織りこまれている。この斜めの二対の糸は角度α、好ましい構造では90°を形成するため、糸２１の方向に対して、傾斜はα/２となる。
【００２５】
さらに、図５ｂに従って構成されたウェブは、本発明による長椅子の上部膜７と下部膜６の間を通るせん断力の伝搬が可能である。
【００２６】
図６は、図３に基づき、本発明の課題に追加した本発明によるさらなる装置を示す。ウェブ３（ここでは繊維織物またはプラスチック材料フォイルから成る）上には、加熱リボン２５が固定されている。各側端部に設けられた仕上げ部分１６において、加熱リボン２５は一つのウェブから別のウェブへと渡されている。このような加熱リボンは、数W/mの小加熱力として知られている。この加熱リボンに必要な電気接続は、気密方法における弁９のように、膜２を介して行われる。この追加の装置は、特に、悪天候時に使用する本発明の長椅子１として示されている。長椅子１は、事前にのみ加熱することも、加熱を継続することもできる。
【００２７】
図６によるこの別の装置を図５ａ、図５ｂのウェブ３に採用できることは明白である。加熱リボン２５のウェブ３への接合は、糸２３、２４への接着も確実に成されるように、接着剤によって行うことが好ましい。
【図面の簡単な説明】
【図１】  本発明による長椅子の第一実施例の断面図。
【図２】  図１の詳細図。
【図３】  図１における実施例の長手部分に関する一部分。
【図４】  第二実施例の長手部分。
【図５ａ】  繊維ウェブの第二実施例の一部分。
【図５ｂ】  繊維ウェブの第三実施例の一部分。
【図６】  図３を基にした本発明による別の装置。
【図１】
0005193411.tif 000007
【図２】
0005193411.tif 000008
【図３】
0005193411.tif 000009
【図４】
0005193411.tif 000010
【図５ａ】
0005193411.tif 000011
【図５ｂ】
0005193411.tif 000012
【図６】
0005193411.tif 000013